(57)【要約】    【課題】  構成レンズ枚数が少なく、広画角でかつ高いズーム比で、色収差を良好に補正することができ、優れた光学性能を有するズームレンズを得ること。    【解決手段】  物体側より像側へ順に、負の屈折力の第１レンズ群、正の屈折力の第２レンズ群を有し、ズーミングに際して双方のレンズ群の間隔が変化するズームレンズにおいて、該第１レンズ群は、レンズ要素と、該レンズ要素とは異なる光学特性を有し、該レンズ要素に積層した樹脂層とからなる複合型光学素子を有し、該レンズ要素の焦点距離と材料のアッベ数を各々ｆｇ，νｄｇ、該樹脂層の焦点距離と材料のアッベ数を各々ｆｊ，νｄｊとするとき、      ２０＜｜νｄｇ−νｄｊ｜      ｆｇ／ｆｊ＜０なる条件を満足すること。【選択図】図１
2007155836.tif 000002
【特許請求の範囲】
【請求項１】
物体側より像側へ順に、負の屈折力の第１レンズ群、正の屈折力の第２レンズ群を有し、ズーミングに際して双方のレンズ群の間隔が変化するズームレンズにおいて、該第１レンズ群は、レンズ要素と、該レンズ要素とは異なる光学特性を有し、該レンズ要素に積層した樹脂層とからなる複合型光学素子を有し、該レンズ要素の焦点距離と材料のアッベ数を各々ｆｇ，νｄｇ、該樹脂層の焦点距離と材料のアッベ数を各々ｆｊ，νｄｊとするとき、
２０＜｜νｄｇ−νｄｊ｜
ｆｇ／ｆｊ＜０
なる条件を満足することを特徴とするズームレンズ。
【請求項２】
前記ズームレンズの広角端における焦点距離をｆｗとするとき、
０＜ｆｗ／ｆｊ＜１．０
なる条件を満足することを特徴とする請求項１のズームレンズ。
【請求項３】
前記複合型光学素子の焦点距離をｆａとするとき、
０．３＜ｆｇ／ｆａ＜１．０
なる条件を満足することを特徴とする請求項１または２のズームレンズ。
【請求項４】
前記レンズ要素の少なくとも１つの面は、非球面形状であることを特徴とする請求項１，２又は３のズームレンズ。
【請求項５】
前記樹脂層の少なくとも１つの面は、非球面形状であることを特徴とする請求項１〜４のいずれか１項のズームレンズ。
【請求項６】
前記レンズ要素は、ガラス材料をモールド成形することにより形成されていることを特徴とする請求項１〜５のいずれか１項のズームレンズ。
【請求項７】
フラウンホーフェル線のｇ線，Ｆ線，ｄ線，Ｃ線に対する材料の屈折率を順にＮｇ，ＮＦ，Ｎｄ，ＮＣとし、前記樹脂層の部分分散比θｇＦを
θｇＦ＝（Ｎｇ−ＮＦ）／（ＮＦ−ＮＣ）
とおくとき、
−２．１００×１０-3 ・νｄｊ＋０．６９３＜θｇＦ
０．５５５＜θｇＦ＜０．９
なる条件を満足することを特徴とする請求項１〜６のいずれか１項のズームレンズ。
【請求項８】
フラウンホーフェル線のｇ線，Ｆ線，ｄ線，Ｃ線に対する材料の屈折率を順にＮｇ，ＮＦ，Ｎｄ，ＮＣとし、前記樹脂層の部分分散比θｇｄを
θｇｄ＝（Ｎｇ−Ｎｄ）／（ＮＦ−ＮＣ）
とおくとき、
−２．４０７×１０-3 ・νｄｊ＋１．４２０＜θｇｄ
１．２５５＜θｇｄ＜１．６７
なる条件を満足することを特徴とする請求項１〜７のいずれか１項のズームレンズ。
【請求項９】
前記樹脂層の材料は
νｄｊ＜５５
なる条件を満足することを特徴とする請求項１から８のいずれか１項のズームレンズ。
【請求項１０】
前記ズームレンズは、物体側より像側へ順に、負の屈折力の第１レンズ群と、正の屈折力の第２レンズ群のみをレンズ群として有することを特徴とする請求項１〜９のいずれか１項のズームレンズ。
【請求項１１】
前記ズームレンズは、物体側より像側へ順に、負の屈折力の第１レンズ群、正の屈折力の第２レンズ群、正の屈折力の第３レンズ群のみをレンズ群として有し、ズーミングに際し各レンズ群の間隔が変わることを特徴とする請求項１〜９のいずれか１項のズームレンズ。
【請求項１２】
前記ズームレンズは、物体側から像側へ順に、負の屈折力の第１レンズ群、正の屈折力の第２レンズ群、負の屈折力の第３レンズ群、正の屈折力の第４レンズ群のみをレンズ群として有し、ズーミングに際し各レンズ群の間隔が変わることを特徴とする請求項１〜９のいずれか１項のズームレンズ。
【請求項１３】
物体側より像側へ順に、負の屈折力の第１レンズ群、正の屈折力の第２レンズ群を有し、該第1レンズ群は、レンズ要素と、該レンズ要素とは異なる光学特性を有し、該レンズ要素に積層される樹脂層を有する複合型光学素子を有し、該レンズ要素のアッベ数をνｄｇ、該樹脂層のアッベ数をνｄｊとしたときに、
３１＜｜νｄｇ−νｄｊ｜
なる条件を満足することを特徴とするズームレンズ。
【請求項１４】
光電変換素子上に像を形成することを特徴とする請求項１〜１３のいずれか１項記載のズームレンズ。
【請求項１５】
請求項１〜１４のいずれか１項記載のズームレンズと、該ズームレンズによって形成される像を受光する光電変換素子を有していることを特徴とする撮像装置。
【発明の詳細な説明】
【技術分野】
【０００１】
本発明はスチルカメラやビデオカメラ、そしてデジタルスチルカメラ等に好適なズームレンズ及びそれを有する撮像装置に関するものである。
【背景技術】
【０００２】
最近、固体撮像素子を用いたビデオカメラ、デジタルスチルカメラ等、撮像装置（カメラ）には、高機能であること、そしてそれに用いる光学系は、広い画角を包含し、大口径比のズームレンズであることが要望されている。
【０００３】
この種のカメラには、レンズ最後部と撮像素子との間に、ローパスフィルターや色補正フィルターなどの各種光学部材が配置される。このため、それに用いるズームレンズには更に比較的バックフォーカスの長いことが要求される。
【０００４】
カラー画像用の撮像素子を用いたカメラでは、輝度のシェーディングや色のシェーディングを避けるため、それに用いるズームレンズには、更に像側のテレセントリック特性が良いことが望まれている。
【０００５】
従来より、像側のテレセントリック特性の良いズームレンズとして、物体側より像側へ順に、負の屈折力のレンズ群と正の屈折力のレンズ群を配置した、所謂レトロフォーカスタイプのズームレンズが知られている。
【０００６】
レトロフォーカスタイプのズームレンズとして、負の屈折力の第１レンズ群と正の屈折力の第２レンズ群の２つのレンズ群より成り、双方のレンズ間隔を変えてズーミングを行う、所謂ショートズームタイプの２群ズームレンズが知られている（特許文献１〜３）。
【０００７】
この２群ズームレンズでは、正の屈折力の第２レンズ群を移動する事で変倍を行い、負の屈折力の第１レンズ群を移動する事で変倍に伴う像点位置の補正を行なっている。２群ズームレンズは、ズーム倍率（ズーム比）が２倍程度のものが多い。
【０００８】
また、２群ズームレンズよりも高倍化を図りながらも、レンズ全体をコンパクトな形状にまとめるため、２群ズームレンズの像側に負または正の屈折力の第３レンズ群を配置し、高倍化に伴って発生する諸収差の補正を行っている、所謂３群ズームレンズが提案されている（例えば特許文献４〜７）。
【０００９】
２群ズームレンズの像側に負の屈折力の第３レンズ群を配置し、更に負の屈折力の第３レンズ群の像側に正の屈折力の第４レンズ群を配置した、所謂４群ズームレンズが知られている（特許文献８，９）。
【特許文献１】特開昭５９−３３４１７号公報
【特許文献２】特開平７−２０９５８１号公報
【特許文献３】特開２００１−４９２０号公報
【特許文献４】特許第２５５６０４６号公報
【特許文献５】米国特許第６１２４９８４号公報
【特許文献６】特開２００４−２２６８５０号公報
【特許文献７】特開２００５−２６６１２９号公報
【特許文献８】特許第３３１５６７１号公報
【特許文献９】特開平８−１５２５５８号公報
【発明の開示】
【発明が解決しようとする課題】
【００１０】
近年、ビデオカメラやデジタルカメラ等ではカメラ全体がコンパクトであることと、ズームレンズが高ズーム比であることが強く要望されている。これらの要望のうち、カメラ全体をコンパクトにするための一方法として、非撮影時に各レンズ群の間隔を撮影状態と異なる間隔まで縮小し、カメラ本体からのレンズの突出量を少なくした所謂沈胴式がある。
【００１１】
一般に、ズームレンズを構成する各レンズ群のレンズ枚数が多いと、各レンズ群の光軸上の長さが長くなり、所望の沈胴長が達成出来なくなってしまう。
【００１２】
各レンズ群の光軸上の長さを短くし、沈胴長を短くするためには、各レンズ群を構成するレンズの枚数を減らす必要がある。
【００１３】
しかしながら、単にレンズ枚数を削減した場合、球面収差やコマ収差といった単色での結像性能に関わる収差補正が困難となる。更に限られた硝材範囲内にて色収差を補正する事も極めて困難となる。この結果、コンパクト化と高画質化を両立させる事が非常に困難であった。
【００１４】
又、光学系全体のレンズ枚数を削減した場合、光学系を構成する各レンズの屈折力が相対的に大きくなる。このため、製造誤差に対する敏感度が上昇し、各レンズの加工精度や光学系の組み立て精度を従来より高くしなければならないと言った問題が生じてくる。
【００１５】
従来より、光学系を構成するレンズ面を非球面形状とする事で、レンズの枚数を削減しつつ結像性能を維持する手法が多くとられている。非球面を用いた場合、単色での結像性能に関わる収差は補正出来る。しかしながら、硝材の選択が支配的となる色収差の補正は困難である。
【００１６】
非球面を加工する方法の一つが、特許文献１，３，６，７，９の各実施例に開示されている。これらの公報では、ベースとなるレンズ面の上に樹脂等を積層させ、この樹脂層に非球面形状の金型を押し当てて非球面レンズを成形する方法を開示している。
【００１７】
しかしながら、これらの公報に開示されているのは、レンズと樹脂の屈折力が共に負であり、レンズと樹脂の材質の違いを利用して、積極的に色収差の補正を行っていない。
【００１８】
本発明は、構成レンズ枚数が少なく、広画角でかつ高いズーム比で、色収差を良好に補正することができ、優れた光学性能を有するズームレンズ及びそれを有する撮像装置の提供を目的とする。
【課題を解決するための手段】
【００１９】
本発明のズームレンズは、物体側より像側へ順に、負の屈折力の第１レンズ群、正の屈
折力の第２レンズ群を有し、ズーミングに際して双方のレンズ群の間隔が変化するズームレンズにおいて、該第１レンズ群は、レンズ要素と、該レンズ要素とは異なる光学特性を有し、該レンズ要素に積層した樹脂層とからなる複合型光学素子を有し、該レンズ要素の焦点距離と材料のアッベ数を各々ｆｇ，νｄｇ、該樹脂層の焦点距離と材料のアッベ数を各々ｆｊ，νｄｊとするとき、
２０＜｜νｄｇ−νｄｊ｜
ｆｇ／ｆｊ＜０
なる条件を満足することを特徴としている。
【発明の効果】
【００２０】
本発明によれば、構成レンズ枚数が少なく、広画角でかつ高いズーム比で、色収差を良好に補正することができ、優れた光学性能を有するズームレンズが得られる。
【発明を実施するための最良の形態】
【００２１】
【実施例】
【００２２】
以下、本発明のズームレンズ及びそれを有する撮像装置の実施例について説明する。
【００２３】
図１は本発明の実施例１のズームレンズの広角端におけるレンズ断面図、図２，図３，図４はそれぞれ実施例１のズームレンズの広角端、中間のズーム位置、望遠端における収差図である。実施例１は、ズーム比２．０倍、開口比３．０〜４．０程度のズームレンズである。
【００２４】
図５は本発明の実施例２のズームレンズの広角端におけるレンズ断面図、図６，図７，図８はそれぞれ実施例２のズームレンズの広角端、中間のズーム位置、望遠端における収差図である。実施例２は、ズーム比３．０倍、開口比３．０〜５．６程度のズームレンズである。
【００２５】
図９は本発明の実施例３のズームレンズの広角端におけるレンズ断面図、図１０，図１１，図１２はそれぞれ実施例３のズームレンズの広角端、中間のズーム位置、望遠端における収差図である。実施例３は、ズーム比２．８倍、開口比３．０〜４．６程度のズームレンズである。
【００２６】
図１３は本発明の実施例４のズームレンズの広角端におけるレンズ断面図、図１４，図１５，図１６はそれぞれ実施例４のズームレンズの広角端、中間のズーム位置、望遠端における収差図である。実施例４は、ズーム比２．８倍、開口比３．６〜５．７程度のズームレンズである。
【００２７】
図１７は本発明の実施例５のズームレンズの広角端におけるレンズ断面図、図１８，図１９，図２０はそれぞれ実施例５のズームレンズの広角端、中間のズーム位置、望遠端における収差図である。実施例５は、ズーム比３．０倍、開口比３．４〜５．７程度のズームレンズである。
【００２８】
図２１は本発明の実施例６のズームレンズの広角端におけるレンズ断面図、図２２，図２３，図２４はそれぞれ実施例６のズームレンズの広角端、中間のズーム位置、望遠端における収差図である。実施例６は、ズーム比２．８倍、開口比２．９〜４．８程度のズームレンズである。
【００２９】
図２５は本発明の実施例７のズームレンズの広角端におけるレンズ断面図、図２６，図２７，図２８はそれぞれ実施例７のズームレンズの広角端、中間のズーム位置、望遠端に
おける収差図である。実施例７は、ズーム比４．３倍、開口比３．２〜５．４程度のズームレンズである。
【００３０】
図２９は本発明のズームレンズを備えるデジタルスチルカメラ（撮像装置）の要部概略図である。
【００３１】
各実施例のズームレンズは撮像装置に用いられる撮影レンズ系である。各実施例のズームレンズをビデオカメラやデジタルスチルカメラの撮影光学系として使用する際にはＣＣＤやＣＭＯＳセンサ等の固体撮像素子（光電変換素子）の撮像面に被写体像を形成する。
【００３２】
各レンズ断面図において、左方が被写体（物体）側（前方）で、右方が像側（後方）である。レンズ断面図において、ｉは、物体側から像側への各レンズ群の順序を示し、Ｌｉは第ｉレンズ群である。
【００３３】
ＳＰは開口絞り（Ｆナンバー決定絞り）であり、軸上Ｆナンバー光束を制限している。Ｇは光学フィルター、フェースプレート等に相当するガラスブロックである。ＩＰは像面であり、ビデオカメラやデジタルスチルカメラの撮影光学系として使用する際にはＣＣＤセンサやＣＭＯＳセンサ等の固体撮像素子（光電変換素子）の撮像面が置かれる。
【００３４】
又、銀塩フィルム用カメラの撮影光学系として使用する際にはフィルム面に相当する感光面が置かれる。
【００３５】
収差図において、ｄ，ｇは各々ｄ線，ｇ線である。ΔＭ，ΔＳは各々メリディオナル像面、サジタル像面を表している。倍率色収差はｇ線によって表している。ＦｎｏはＦナンバー、ωは半画角である。
【００３６】
尚、各実施例において広角端と望遠端は変倍用のレンズ群が機構上、移動可能な範囲の両端に位置したときのズーム位置をいう。
【００３７】
各実施例では、ズーミングに際して第１レンズ群Ｌ１と第２レンズ群Ｌ２の間隔が変化すること（例えば第１，第２レンズ群Ｌ１，Ｌ２のうち少なくとも１つのレンズ群が移動すること）を共通の構成要件としている。
【００３８】
次に図１の実施例１のズームレンズについて説明する。
【００３９】
実施例１のズームレンズは、物体側より像側へ順に、負の屈折力の第１レンズ群Ｌ１、正の屈折力の第２レンズ群Ｌ２の２つのレンズ群で構成している。広角端から望遠端へのズーミングに際して、第１レンズ群Ｌ１が像側に移動し、第２レンズ群Ｌ２が物体側に移動する。
【００４０】
実施例１のズームレンズは、第２レンズ群Ｌ２の移動により主な変倍を行い、第１レンズ群Ｌ１の移動によって変倍に伴う像点の移動を補正している。
【００４１】
次に、実施例１のレンズ構成について説明する。
【００４２】
実施例１においては、負の屈折力の第１レンズ群Ｌ１を、物体側から像側へ順に（以下、各レンズ群のレンズ構成を示すときは物体側から像側の順である。）両面が凹形状の負レンズと、この負レンズの像面側に積層した樹脂層と、で構成している。
【００４３】
正の屈折力の第２レンズ群Ｌ２を、両面が凸形状の正レンズと、両面が凹形状の負レン
ズと、物体側の面が凸でメニスカス形状の正レンズの３枚のレンズで構成している。
【００４４】
次に図５，図９，図１３，図１７，図２１の実施例２〜６のズームレンズのズーム方式について説明する。
【００４５】
実施例２〜６のズームレンズは、物体側より像側へ順に、負の屈折力の第１レンズ群Ｌ１、正の屈折力の第２レンズ群Ｌ２、そして正の屈折力の第３レンズ群Ｌ３の３つのレンズ群で構成している。
【００４６】
ズーミングに際して各レンズ群の間隔が変化している。具体的には、広角端から望遠端へのズーミングに際して、第１レンズ群Ｌ１が像側に凸形状の軌跡の一部で往復移動している。又、第２レンズ群Ｌ２が物体側に移動している。第３レンズ群Ｌ３は、実施例２では像側に移動し、実施例３〜６では物体側に移動している。
【００４７】
実施例２のズームレンズは、第２レンズ群Ｌ２の移動により主な変倍を行い、第１レンズ群Ｌ１の往復移動及び第３レンズ群Ｌ３による像側方向への移動によって変倍に伴う像点の移動を補正している。
【００４８】
また、実施例３〜６のズームレンズは、第２レンズ群Ｌ２及び第３レンズ群Ｌ３の移動により主な変倍を行い、第１レンズ群Ｌ１の往復移動によって変倍に伴う像点の移動を補正している。
【００４９】
次に実施例２〜６の各レンズ群のレンズ構成について順に説明する。
【００５０】
図５の実施例２においては、負の屈折力の第１レンズ群Ｌ１を、両面が凹形状の負レンズと、この負レンズの像面側に積層した樹脂層とで構成している。
【００５１】
正の屈折力の第２レンズＬ２群を、両面が凸形状の正レンズと、両面が凹形状の負レンズと、両面が凸形状の正レンズの３枚のレンズで構成している。
【００５２】
正の屈折力の第３レンズ群Ｌ３を像側の面が凸で、メニスカス形状の正レンズで構成している。
【００５３】
図９の実施例３においては、負の屈折力の第１レンズ群Ｌ１を、両面が凹形状の負レンズと、この負レンズの像面側に積層した樹脂層とで構成している。
【００５４】
正の屈折力の第２レンズ群Ｌ２を、両面が凸形状の正レンズと、両面が凹形状の負レンズを接合した接合レンズの２枚のレンズで構成している。
【００５５】
正の屈折力の第３レンズ群Ｌ３を物体側の面が凸でメニスカス形状の正レンズで構成している。
【００５６】
図１３の実施例４においては、負の屈折力の第１レンズ群Ｌ１を、両面が凹形状の負レンズと、この負レンズの像面側に積層した樹脂層とで構成している。
【００５７】
正の屈折力の第２レンズ群Ｌ２を、両面が凸形状の正レンズと、両面が凹形状の負レンズの２枚のレンズで構成している。
【００５８】
正の屈折力の第３レンズ群Ｌ３を両面が凸形状の正レンズで構成している。
【００５９】
図１７の実施例５においては、負の屈折力の第１レンズ群Ｌ１を、物体側の面が凸でメニスカス形状の負レンズと、両面が凹形状の負レンズと、この負レンズの像面側に積層した樹脂層とで構成している。
【００６０】
正の屈折力の第２レンズ群Ｌ２を、両面が凸形状の正レンズと、両面が凹形状の負レンズの２枚のレンズで構成している。
【００６１】
正の屈折力の第３レンズ群Ｌ３を両面が凸形状の正レンズで構成している。
【００６２】
図２１の実施例６においては、負の屈折力の第１レンズ群Ｌ１を、両面が凹形状の負レンズと、この負レンズの物体側に積層した樹脂層とで構成している。
【００６３】
正の屈折力の第２レンズ群Ｌ２を、両面が凸形状の正レンズと、物体側の面が凸でメニスカス形状の負レンズの２枚のレンズで構成している。
【００６４】
正の屈折力の第３レンズ群Ｌ３を、物体側の面が凸でメニスカス形状の正レンズで構成している。
【００６５】
次に図２５の実施例７のズームレンズのズーム方式について説明する。
【００６６】
図２５の実施例７のズームレンズは、物体側より像側へ順に、負の屈折力の第１レンズ群Ｌ１、正の屈折力の第２レンズ群Ｌ２、負の屈折力の第３レンズ群Ｌ３、そして正の屈折力の第４レンズ群Ｌ４の４つのレンズ群で構成している。
【００６７】
ズーミングに際して、各レンズ群の間隔が変化している。具体的には、広角端から望遠端へのズーミングに際して、第１レンズ群Ｌ１が像側に凸状の往復移動、第２レンズ群Ｌ２及び第３レンズ群Ｌ３が物体側に移動し、第４レンズ群Ｌ４が物体側に凸状の往復移動をしている。
【００６８】
実施例７のズームレンズは、第２レンズ群Ｌ２及び第３レンズ群Ｌ３の移動により主な変倍を行い、第１レンズ群Ｌ１及び第４レンズ群Ｌ４の往復移動によって変倍に伴う像点の移動を補正している。
【００６９】
次に、実施例７の各レンズ群のレンズ構成について説明する。
【００７０】
実施例７においては、負の屈折力の第１レンズ群Ｌ１を、物体側の面が凸でメニスカス形状の負レンズと、この負レンズの像面側に積層した樹脂層とで構成している。
【００７１】
正の屈折力の第２レンズ群Ｌ２を、物体側の面が凸でメニスカス形状の負レンズと、物体側の面が凸でメニスカス形状の正レンズを接合した接合レンズと、両面が凸形状の正レンズの３枚のレンズで構成している。
【００７２】
負の屈折力の第３レンズ群Ｌ３を、両面が凸形状の正レンズと、両面が凹形状の負レンズを接合した接合レンズの２枚のレンズで構成している。
【００７３】
正の屈折力の第４レンズ群Ｌ４を、両面が凸形状の正レンズと、像側の面が凸でメニスカス形状の負レンズを接合した接合レンズの２枚のレンズで構成している。
【００７４】
以上の各実施例において、第１レンズ群Ｌ１は、レンズ要素と、このレンズ要素に積層された樹脂層にて構成した複合型光学素子を有している。この樹脂層を例えば光または熱
により硬化する硬化性樹脂によって作成する場合、一般的には成形型を用いて光重合成形または熱重合成形によって作成される。
【００７５】
このため、成形型の形状を予め非球面形状としておけば、比較的容易にレンズ要素の境界面とは反対側の面を非球面形状とする事が出来る。
【００７６】
また、実施例１〜４、６においては、レンズ要素も樹脂層との境界面とは反対側の面を非球面形状とし、さらに実施例３においては、境界面も非球面形状としている。こちらはレンズ要素を既存のモールド成形法によって作成すれば、容易に非球面形状を作成する事が出来る。
【００７７】
さらに実施例１、２、４〜６においては、絞り部材としてのＦＮｏ（Ｆナンバー）決定部材ＳＰを第２レンズ群Ｌ２の最も物体側に配置されたレンズの物体側頂点と、このレンズの物体側の面とレンズ外周部との交点との間に配置している。
【００７８】
これにより、第１レンズ群Ｌ１と第２レンズ群Ｌ２の間に、沈胴時に干渉が生じる部材をなくし、レンズ沈胴時に第１レンズ群Ｌ１と第２レンズ群Ｌ２の間隔を極限まで近づけることができる構成としている。
【００７９】
各実施例において、第１レンズ群Ｌ１は、レンズ要素と、該レンズ要素とは異なる光学特性を有し、レンズ要素の光透過面に積層した樹脂層とから成る複合型光学素子を有している。そしてレンズ要素の焦点距離と材料のアッベ数を各々ｆｇ，νｄｇ、樹脂層の焦点距離と材料のアッベ数を各々ｆｊ，νｄｊとする。
【００８０】
このとき、
２０＜｜νｄｇ−νｄｊ｜    ‥‥‥（１）
ｆｇ／ｆｊ＜０              ‥‥‥（２）
なる条件を満足している。
【００８１】
ここで言うレンズ要素とは、ガラスレンズ、プラスチックレンズ等の樹脂が積層出来る基板となるパワーのある（屈折力のある）光学素子である。又、積層される樹脂とは基板と異なる光学特性を有していれば、前もって成形された樹脂でも良い。
【００８２】
条件式（１）は、レンズ要素と樹脂層の材料のｄ線に対するアッベ数の差に関する条件式である。条件式（１）の下限値を超えると、十分なアッベ数差が得られないために、第１レンズ群Ｌ１内における色収差の補正が不十分となる。
【００８３】
条件式（１）の数値範囲は、以下の範囲とすることで色収差の補正が更に容易となる。
【００８４】
２５＜｜νｄｇ−νｄｊ｜  ‥‥‥（１ａ）
条件式（１ａ）は更に好ましくは、以下に示す範囲とするのが良い。
【００８５】
３１＜｜νｄｇ−νｄｊ｜  ‥‥‥（１ｂ）
尚、各実施例においては、条件式（１ｂ）のみを満足するようにしても良く、これによれば前述した効果が得られる。
【００８６】
条件式（２）は、レンズ要素と樹脂層の焦点距離の比に関し、レンズ要素と樹脂層の焦点距離を異符号とするためのものである。
【００８７】
条件式（２）を外れると、レンズ要素と樹脂層の屈折力が同符号となってしまい、複合
型光学素子自体での色収差の補正が難しくなる。この結果、第１レンズ群Ｌ１全体での色収差の補正が難しくなってくる。
【００８８】
各実施例において、負の屈折力の第１レンズ群Ｌ１に含まれる複合型光学素子は、レンズ要素及び樹脂層によって構成されている。そして、この樹脂層は光入射側と光射出側が共に屈折面である。
【００８９】
樹脂層は全体として屈折力を有しており、この樹脂層の光学材料の特性は、部分分散比の大きい（高い）材料を使用している。これによって、色収差の補正効果を高めている。
【００９０】
具体的には、樹脂層のアッベ数をνｄｊ、部分分散比をθｇＦとするとき、以下の条件式（３），（４）を満足する材料を使用している。
【００９１】
−２．１００×１０-3 ・νｄｊ＋０．６９３＜θｇＦ    ‥‥‥（３）
０．５５５＜θｇＦ＜０．９                          ‥‥‥（４）
条件式（３），（４）を満足する樹脂を用いることによって、ｇ線〜Ｃ線の広い波長帯域にわたって色収差を良好に補正している。
【００９２】
ここでアッベ数νｄｊ、部分分散比θｇＦ、部分分散比θｇｄはｇ線（波長４３５．８ｎｍ），Ｆ線（４８６．１ｎｍ），ｄ線（５８７．６ｎｍ），Ｃ線（６５６．３ｎｍ）に対する材料の屈折率をそれぞれＮｇ，ＮＦ，Ｎｄ，ＮＣとするとき、
νｄｊ＝（Ｎｄ−１）／（ＮＦ−ＮＣ）
θｇｄ＝（Ｎｇ−Ｎｄ）／（ＮＦ−ＮＣ）
θｇＦ＝（Ｎｇ−ＮＦ）／（ＮＦ−ＮＣ）
である。
【００９３】
なお、条件式（３）の数値範囲は、以下の範囲とすることで更に良好に色収差を補正することができる。
【００９４】
−２．１００×１０-3・νｄｊ＋０．６９３＜θｇＦ＜
−１．２３１×１０−３・νｄｊ＋０．９００…（３ａ）
更に望ましくは、条件式（３ａ）を以下に示す範囲とするのが良い。
【００９５】
−２．１００×１０-3・νｄｊ＋０．６９３＜θｇＦ＜
−１．３８９×１０−３・νｄｊ＋０．８２３…（３ｂ）
更に望ましくは、条件式（３ｂ）を以下に示す範囲とするのが良い。
【００９６】
−１．６８２×１０-3・νｄｊ＋０．７００＜θｇＦ＜
−１．６８２×１０−３・νｄｊ＋０．７５６…（３ｃ）
条件式（４）は、条件式（３）と同様にｇ線〜Ｃ線の広い波長帯域において、色収差を良好に補正するためのものである。
【００９７】
条件式（４）を外れる広い波長帯域にわたり、色収差を良好に補正するのが難しくなってくる。条件式（４）は、次の如く設定すると、更に良好な色収差の補正効果が期待できる。
【００９８】
０．５５５＜θｇＦ＜０．８６                          ‥‥‥（４ａ）
条件式(４ａ)は更に望ましくは、以下に示す範囲とするのが良い。
【００９９】
０．５５５＜θｇＦ＜０．８０                          ‥‥‥（４ｂ）
更に、樹脂層の材料は、以下の条件式（５），（６）をも満足することが色収差の補正上好ましい。
【０１００】
−２．４０７×１０-3・νｄｊ＋１．４２０＜θｇｄ      ‥‥‥（５）
１．２５５＜θｇｄ＜１．６７                            ‥‥‥（６）
条件式（５），（６）を満足することによって、ｇ線とｄ線間の色収差補正を良好に行うことが可能になる。これにより、ｇ線〜Ｃ線の波長帯域でより緻密な色収差補正が容易となる。
【０１０１】
条件式（５）の数値範囲は、以下の範囲とすることで更に良好な色収差補正効果が期待できる。
【０１０２】
−２．４０７×１０-3・νｄｊ＋１．４２０＜θｇｄ＜
−１．１５２×１０−３・νｄｊ＋１．６５１‥‥‥（５ａ）
条件式（５ａ）は更に望ましくは、以下に示す範囲とするのが良い。
【０１０３】
−２．４０７×１０-3・νｄｊ＋１．４２０＜θｇｄ＜
−１．８６５×１０−３・νｄｊ＋１．５７２‥‥‥（５ｂ）
条件式（５ｂ）は更に望ましくは、以下に示す範囲とするのが良い。
【０１０４】
−２．０７６×１０−３・νｄｊ＋１．４２６＜θｇｄ＜
−２．０７６×１０−３・νｄｊ＋１．５１２‥‥‥（５ｃ）
条件式（６）の数値範囲は、以下の範囲とすると更に良好な色収差の補正効果が期待できる。
【０１０５】
１．２５５＜θｇｄ＜１．６１            ‥‥‥（６ａ）
条件式（６ａ）は、更に望ましくは、以下に示す範囲とするのが良い。
【０１０６】
１．２５５＜θｇｄ＜１．５４            ‥‥‥（６ｂ）
樹脂層のアッベ数νｄｊは色収差補正の観点から、
νｄｊ＜５５                            ‥‥‥（７）
なる条件を満足することが好ましい。
【０１０７】
条件式（７）の数値範囲は、以下の範囲とすることで更に良好な色収差の補正効果が期待できる。
【０１０８】
νｄｊ＜４５                            ‥‥‥（７ａ）
条件式（７ａ）は更に望ましくは、以下に示す範囲とするのが良い。
【０１０９】
νｄｊ＜３０                            ‥‥‥（７ｂ）
条件式（３），（４）を満足する樹脂層の具体例として、次のものがある。樹脂の中でも特にＵＶ硬化樹脂（Ｎｄ＝１．６３５，νｄ＝２２．７，θｇＦ＝０．６９）やＮ−ポリビニルカルバゾール（Ｎｄ＝１．６９６，νｄ＝１７．７，θｇＦ＝０．６９）は条件式（３），（４）を満足する光学材料である。
【０１１０】
尚、条件式（３），（４）を満足する樹脂であれば、これらのものに限定するものではない。
【０１１１】
また、各実施例において、負の屈折力の第１レンズ群Ｌ１に含まれる、樹脂層の焦点距離をｆｊ、広角端のズーム位置における全系の焦点距離をｆｗとするとき、以下の条件式
（８）を満足させるのが良い。
【０１１２】
０＜ｆｗ／ｆｊ＜１．０                  ‥‥‥（８）
条件式（８）の下限値を超えると、樹脂層の焦点距離が負となる。この結果、負の屈折力を有する第１レンズ群Ｌ１の主たる屈折力を担うレンズ要素との間で、色収差の補正をする事が困難となる。結果的に第１レンズ群Ｌ１全体での色収差の補正が難しくなってしまうので好ましくない。
【０１１３】
また、条件式（８）の上限値を超えると、樹脂層の屈折力が強くなる一方、相対的にレンズ要素の屈折力も強くなってしまい、特に軸外諸収差の補正が困難となり好ましくない。
【０１１４】
条件式（８）の数値範囲は、以下の範囲とすることで更に良好な収差補正効果が期待できる。
【０１１５】
０＜ｆｗ／ｆｊ＜０．６                  ‥‥‥（８ａ）
条件式（８ａ）は更に好ましくは、以下に示す範囲とするのが良い。
【０１１６】
０＜ｆｗ／ｆｊ＜０．４                  ‥‥‥（８ｂ）
又、各実施例において、負の屈折力の第１レンズ群Ｌ１に含まれる、複合型光学素子の焦点距離をｆａとするとき、以下の条件式９を満足させるのが良い。
【０１１７】
０．３＜ｆｇ／ｆａ＜１．０              ‥‥‥（９）
条件式（９）の上限値を超えると、複合型光学素子全体での焦点距離より、レンズ要素の焦点距離が長くなる。そうすると、結果的に樹脂層の正の屈折力が弱くなってしまい、複合型光学素子全体での収差補正が困難となり好ましくない。
【０１１８】
また、条件式（９）の下限値を超えると、樹脂層の正の屈折力が相対的に強くなりすぎてしまい、色収差補正には有利となるものの、軸外収差の補正が困難となり好ましくない。
【０１１９】
条件式（９）の数値範囲は、以下の範囲とすることで更に良好な収差補正効果が期待できる。
【０１２０】
０．４＜ｆｇ／ｆａ＜１．０                  ‥‥‥（９ａ）
条件式（９ａ）は更に好ましくは、以下に示す範囲とするのが良い。
【０１２１】
０．５＜ｆｇ／ｆａ＜０．９                  ‥‥‥（９ｂ）
尚、各実施例において、諸収差のうち歪曲収差を、例えば公知の電気的収差補正方法によって、補正しても良い。
【０１２２】
以上のように各実施例では、各要素を前述の如く適切に設定している。これにより、特に、固体撮像素子を用いた沈胴式に好適なズームレンズを得ている。又各実施例によれば構成レンズ枚数の少なく、色収差を始めとする諸収差を良好に補正した、優れた光学性能を有するズームレンズを得ている。
【０１２３】
又、各実施例によればレンズ群中に効果的に非球面を導入することによって、軸外諸収差、特に非点収差および大口径比化した際の球面収差を良好に補正した高い光学性能を得ている。
【０１２４】
次に本発明のズームレンズを撮影光学系として用いたビデオカメラ（光学機器）の実施例を図２９を用いて説明する。
【０１２５】
図２９において、２０はビデオカメラ本体、２１は本発明のズームレンズによって構成された撮影光学系、２２は撮影光学系２１によって被写体像を受光するＣＣＤ等の撮像素子である。
【０１２６】
２３は撮像素子２２が受光した被写体像を記録する記録手段、２４は不図示の表示素子に表示された被写体像を観察するためのファインダーである。
【０１２７】
上記表示素子は液晶パネル等によって構成され、撮像素子２２上に形成された被写体像が表示される。
【０１２８】
このように本発明のズームレンズをビデオカメラ等の光学機器に適用することにより、小型で高い光学性能を有する光学機器を実現している。
【０１２９】
次に、本発明の実施例を示す。各実施例において、ｉは物体側からの面の順序を示し、Ｒｉはレンズ面の曲率半径、Ｄｉは第ｉ面と第ｉ＋１面との間のレンズ肉厚および空気間隔、Ｎｉ，νｉはそれぞれｄ線に対する屈折率，アッベ数を示す。
【０１３０】
また、最も像側の２つの面はフェースプレート等のガラス材である。また、ｋ、Ｂ、Ｃ、Ｄ、Ｅは非球面係数である。
【０１３１】
非球面形状は光軸からの高さｈの位置での光軸方向の変位を面頂点を基準にしてｘとするとき
ｘ＝（ｈ2／Ｒ）／［１＋｛１−（１＋ｋ）（ｈ／Ｒ）2｝1/2］
＋Ｂｈ4＋Ｃｈ6＋Ｄｈ8＋Ｅｈ10
で表される。但しＲは曲率半径である。
【０１３２】
又「ｅ−０Ｘ」は「×１０-X」を意味している。ｆは焦点距離、ＦｎｏはＦナンバー、ωは半画角を示す。
【０１３３】
又、前述の各条件式と各数値実施例との関係を（表１）に示す。
【０１３４】
数値実施例１，２，４，６におけるＤ４、数値実施例５におけるＤ６の値が負となっているが、これは物体側から順に開口絞りＳＰ、第２レンズ群Ｌ２の第１番目のレンズと数えたためである。
【０１３５】
（数値実施例1） 
f=6.504〜12.999  Fno=3.00〜4.00  2ω=57.3°〜30.5°
R 1 =  -21.588      D 1 =  0.60      N 1 = 1.487490      νd 1 = 70.2
R 2 =   11.435      D 2 =  0.25      N 2 = 1.63555       νd 2 = 22.7
R 3 =   13.243      D 3 =  可変
R 4 =    絞り       D 4 = -0.40
R 5 =    3.785      D 5 =  2.20      N 3 = 1.834000      νd 3 = 37.2
R 6 =  -23.328      D 6 =  0.14
R 7 =  -16.452      D 7 =  0.50      N 4 = 1.922860      νd 4 = 18.9
R 8 =    5.442      D 8 =  1.73
R 9 =    5.254      D 9 =  1.30      N 5 = 1.805181      νd 5 = 25.4
R10 =    8.541      D10 =  可変
R11 =    ∞         D11 =  1.00      N 6 = 1.516330      νd 6 = 64.1
R12 =    ∞
【０１３６】
【表１】
2007155836.tif 000003
【０１３７】
非球面係数
R1  k=-1.09299e+01 B=-1.74216e-03 C= 7.57292e-05 D=-8.76821e-07
E=-7.61194e-09   
R3  k=-2.67276e+01 B= 1.57785e-04 C=-3.10022e-05 D= 4.42658e-06
E=-1.12445e-07
R5  k=-2.25504e-01 B= 4.53792e-04 C= 1.43541e-04
R6  k=-1.01152e+01 B= 3.05865e-03 C=-1.35438e-04
R7  k=-6.23345e+00 B= 2.53902e-03 C= 3.41808e-05
R8  k=-5.55212e-01 B= 1.96481e-03 C= 1.28391e-03
R9  k=-2.04670e+00 B=-1.94383e-03 C=-1.43317e-04
R10 k=-4.41466e-01 B=-1.65084e-03 C=-1.94424e-04
(数値実施例2)
f=6.202〜18.599  Fno=3.00〜5.60  2ω=59.6°〜21.6°
R 1 =  -15.292      D 1 =  0.60      N 1 = 1.487490      νd 1 = 70.2
R 2 =    6.543      D 2 =  0.40      N 2 = 1.62520       νd 2 = 25.24
R 3 =    9.024      D 3 =  可変
R 4 =    絞り       D 4 = -0.40
R 5 =    4.675      D 5 =  2.20      N 3 = 1.806098      νd 3 = 40.9
R 6 =  -15.585      D 6 =  0.45
R 7 =  -11.052      D 7 =  0.50      N 4 = 1.805181      νd 4 = 25.4
R 8 =    4.220      D 8 =  1.56
R 9 =    9.989      D 9 =  1.30      N 5 = 1.804000      νd 5 = 46.6
R10 =  -23.446      D10 =  可変
R11 = -378.728      D11 =  1.30      N 6 = 1.583126      νd 6 = 59.4
R12 =  -13.281      D12 =  可変
R13 =    ∞         D13 =  1.00      N 7 = 1.516330      νd 7 = 64.1
R14 =    ∞                 
【０１３８】
【表２】
2007155836.tif 000004
【０１３９】
非球面係数
R1  k=-6.88264e+00 B=-9.46285e-05 C= 2.66126e-06  D=1.32434e-07 
E=-9.69671e-10
R3  k=-3.86017e+00 B= 4.64420e-04 C=-6.43371e-06  D=4.69463e-07
E= 1.42598e-08
R5  k=-2.12422e-02 B=-4.01373e-04 C= 3.61898e-06
R6  k=-4.26286e+00 B= 3.32312e-04 C= 1.11033e-05
R11 k=-6.00735e+05 B= 9.53671e-04 C= 1.75110e-05
R12 k=-2.74745e+01 B= 9.41336e-04 C= 6.17511e-05
(数値実施例3)
f=6.590〜18.640  Fno=2.96〜4.60  2ω=56.6°〜21.6°
R 1 =   -9.362      D 1 =  0.60      N 1 = 1.48749      νd 1 = 70.2
R 2 =   13.690      D 2 =  0.35      N 2 = 1.69591      νd 2 = 17.7
R 3 =   20.719      D 3 =  可変
R 4 =    絞り       D 4 =  0.15
R 5 =    5.061      D 5 =  2.50      N 3 = 1.76200      νd 3 = 40.1
R 6 =   -2.375      D 6 =  0.50      N 4 = 1.69895      νd 4 = 30.1
R 7 =    7.763      D 7 =  可変
R 8 =   10.445      D 8 =  1.40      N 5 = 1.77250      νd 5 = 49.6
R 9 =   16.994      D 9 =   可変
R10 =    ∞         D10 =  1.00      N 6 = 1.51633      νd 6 = 64.1
R11 =    ∞
【０１４０】
【表３】
2007155836.tif 000005
【０１４１】
非球面係数
R1 k= 3.89310e-01 B= 4.37755e-04  C= 1.92683e-06  D=6.33555e-09
R2 k=-3.79455e+00 B= 3.26079e-04  C=-1.97275e-06
R3 k=-2.67610e-01 B= 1.64690e-04  C= 4.35733e-06
R5 k= 1.80938e-02 B= 1.20823e-05  C= 2.40546e-05
R6 k=-2.46679e+00 B=-3.36766e-03  C= 3.18762e-04
R7 k= 1.69997e+00 B= 1.40072e-03  C= 2.56727e-04
R8 k= 0.00000e+00 B= 8.51454e-05  C= 3.35662e-07
(数値実施例4)
f=6.593〜18.639  Fno=3.60〜5.69  2ω=56.8°〜21.6°
R 1 =  -11.250      D 1 =  0.70      N 1 = 1.589130      νd 1 = 61.3
R 2 =    8.711      D 2 =  0.30      N 2 = 1.63555       νd 2 = 22.7
R 3 =   14.632      D 3 =  可変
R 4 =    絞り       D 4 = -0.40
R 5 =    4.189      D 5 =  2.20      N 3 = 1.806098      νd 3 = 40.9
R 6 =   -8.763      D 6 =  0.20
R 7 =   -6.173      D 7 =  0.50      N 4 = 1.761821      νd 4 = 26.5
R 8 =    5.440      D 8 =  可変
R 9 =   11.707      D 9 =  1.60      N 5 = 1.487490      νd 5 = 70.2
R10 =  -11.208      D10 =  可変
R11 =    ∞         D11 =  1.00      N 6 = 1.516330      νd 6 = 64.1
R12 =    ∞
【０１４２】
【表４】
2007155836.tif 000006
【０１４３】
非球面係数    
R1 k=-8.21035e-01 B=-3.40069e-04 C=4.04753e-05 D=5.56591e-08 
E=-4.84525e-08
R3 k=-2.75130e+00 B=-3.14187e-04 C=3.29725e-05 D=3.51804e-06
E=-2.12987e-07
R5 k=-2.54107e+00 B= 4.61960e-03 C=4.24270e-05
R8 k=-7.94587e+00 B= 1.01773e-02 C=5.73115e-05
(数値実施例5)
f=5.802〜17.399  Fno=3.38〜5.71  2ω=63.1°〜23.2°
R 1 =   32.162      D 1 =  1.00      N 1 = 1.772499      νd 1 = 49.6
R 2 =   11.066      D 2 =  1.50
R 3 =  -10.517      D 3 =  0.70      N 2 = 1.603112      νd 2 = 60.6
R 4 =   17.642      D 4 =  0.30      N 3 = 1.63555       νd 3 = 22.7
R 5 =  179.133      D 5 =  可変
R 6 =    絞り       D 6 = -0.40
R 7 =    3.985      D 7 =  2.20      N 4 = 1.806098      νd 4 = 40.9
R 8 =   -8.286      D 8 =  0.20
R 9 =   -5.713      D 9 =  0.50      N 5 = 1.761821      νd 5 = 26.5
R10 =    5.494      D10 =  可変
R11 =   10.529      D11 =  1.60      N 6 = 1.487490      νd 6 = 70.2
R12 =  -12.192      D12 =  可変
R13 =    ∞         D13 =  1.00      N 7 = 1.516330      νd 7 = 64.1
R14 =    ∞                 
【０１４４】
【表５】
2007155836.tif 000007
【０１４５】
非球面係数
R2  k= 3.96580e+00 B=-4.00193e-05 C=1.20418e-07 D=-2.21768e-08 
E=-1.12285e-07
R5  k=-2.50407e+02 B=-3.61469e-04 C=5.56594e-06 D= 2.71438e-06
E=-2.85224e-08
R7  k=-1.92195e+00 B= 4.11935e-03 C=1.30544e-04
R10 k=-7.80820e+00 B= 1.06997e-02 C=2.81136e-04
(数値実施例6)
f=6.550〜18.510  Fno=2.89〜4.80  2ω=56.9°〜21.7°
R 1 =  -15.720      D 1 =  0.40      N 1 = 1.63555       νd 1 = 22.7
R 2 =   -8.048      D 2 =  0.60      N 2 = 1.516330      νd 2 = 64.1
R 3 =    8.663      D 3 =  可変
R 4 =    絞り       D 4 = -0.40
R 5 =    4.254      D 5 =  2.09      N 3 = 1.693500      νd 3 = 53.2
R 6 =  -31.953      D 6 =  0.15
R 7 =    8.188      D 7 =  0.45      N 4 = 1.846660      νd 4 = 23.9
R 8 =    3.356      D 8 =  可変
R 9 =    7.668      D 9 =  1.28      N 5 = 1.772499      νd 5 = 49.6
R10 =   30.059      D10 =  可変
R11 =    ∞         D11 =  1.00      N 6 = 1.516330      νd 6 = 64.1
R12 =    ∞
【０１４６】
【表６】
2007155836.tif 000008
【０１４７】
非球面係数                  
R1  k= 0.00000e+00 B=-2.32379e-03 C= 1.50373e-04 D=-4.12838e-06 
E= 3.56245e-08
R3  k=-2.82525e+00 B=-2.68319e-03 C= 1.87838e-04 D=-1.84092e-06
E=-1.04944e-07   
R5  k=-2.86224e-01 B=-1.03668e-03 C= 3.88860e-06 D=-8.95721e-06
E= 5.53097e-07
R8  k=-1.64548e+00 B= 5.31934e-03 C= 1.75499e-04 D=-3.86910e-05
E= 4.42096e-06
R9  k= 0.00000e+00 B= 3.17186e-04 C= 9.87633e-05 D=-1.80790e-05
E= 1.33634e-06
R10 k= 1.42696e+02 B=-2.36932e-04 C=-1.34210e-05 D= 5.56158e-07
E=-2.79996e-06
(数値実施例7)
f=6.045〜26.277  Fno=3.19〜5.40  2ω=61.2°〜15.5°
R 1 =   22.139      D 1 =  1.20      N 1 = 1.772499      νd 1 = 49.6
R 2 =    6.419      D 2 =  0.50      N 2 = 1.63555       νd 2 = 22.7
R 3 =    7.404      D 3 =  可変
R 4 =   10.985      D 4 =  0.60      N 3 = 1.698947      νd 3 = 30.1
R 5 =    7.072      D 5 =  2.20      N 4 = 1.772499      νd 4 = 49.6
R 6 =   23.462      D 6 =  0.15
R 7 =    9.977      D 7 =  1.50      N 5 = 1.772499      νd 5 = 49.6
R 8 =  -83.931      D 8 =  可変
R 9 =    絞り       D 9 =  0.10
R10 =    3.040      D10 =  1.30      N 6 = 1.487490      νd 6 = 70.2
R11 =   -9.597      D11 =  0.50      N 7 = 2.003300      νd 7 = 28.3
R12 =    3.369      D12 =  可変
R13 =   23.671      D13 =  1.90      N 8 = 1.846660      νd 8 = 23.9
R14 =  -10.010      D14 =  0.50      N 9 = 1.487490      νd 9 = 70.2
R15 = -118.944      D15 =  可変
R16 =    ∞         D16 =  1.00      N 10 = 1.516330      νd 10 = 64.1
R17 =    ∞
【０１４８】
【表７】
2007155836.tif 000009
【０１４９】
非球面係数                  
R3  k=-1.44359e+00 B= 4.06307e-04 C= 3.43001e-06
R7  k=-9.15204e+00 B= 9.37167e-04 C=-4.55944e-05
R8  k= 5.11894e+02 B=-1.84045e-04 C=-1.08559e-05
R13 k= 2.16556e+01 B=-7.56985e-05 C=-1.00981e-05
【０１５０】
【表８】
2007155836.tif 000010
【図面の簡単な説明】
【０１５１】
【図１】実施例１のレンズ断面図
【図２】実施例１の広角端での収差図
【図３】実施例１の中間のズーム位置での収差図
【図４】実施例１の望遠端での収差図
【図５】実施例２のレンズ断面図
【図６】実施例２の広角端での収差図
【図７】実施例２の中間のズーム位置での収差図
【図８】実施例２の望遠端での収差図
【図９】実施例３のレンズ断面図
【図１０】実施例３の広角端での収差図
【図１１】実施例３の中間のズーム位置での収差図
【図１２】実施例３の望遠端での収差図
【図１３】実施例４のレンズ断面図
【図１４】実施例４の広角端での収差図
【図１５】実施例４の中間のズーム位置での収差図
【図１６】実施例４の望遠端での収差図
【図１７】実施例５のレンズ断面図
【図１８】実施例５の広角端での収差図
【図１９】実施例５の中間のズーム位置での収差図
【図２０】実施例５の望遠端での収差図
【図２１】実施例６のレンズ断面図
【図２２】実施例６の広角端での収差図
【図２３】実施例６の中間のズーム位置での収差図
【図２４】実施例６の望遠端での収差図
【図２５】実施例７のレンズ断面図
【図２６】実施例７の広角端での収差図
【図２７】実施例７の中間のズーム位置での収差図
【図２８】実施例７の望遠端での収差図
【図２９】本発明の撮像装置の要部概略図
【符号の説明】
【０１５２】
Ｌ１  第１レンズ群
Ｌ２  第２レンズ群
Ｌ３  第３レンズ群
Ｌ４  第４レンズ群
ＳＰ  Ｆナンバー決定部材（開口絞り）
ＩＰ  像面
Ｇ  ガラスブロック
ｄ    ｄ線
ｇ    ｇ線
ΔＳ    サジタル像面
ΔＭ    メリディオナル像面
【図１】
2007155836.tif 000011
【図２】
2007155836.tif 000012
【図３】
2007155836.tif 000013
【図５】
2007155836.tif 000014
【図６】
2007155836.tif 000015
【図７】
2007155836.tif 000016
【図９】
2007155836.tif 000017
【図１０】
2007155836.tif 000018
【図１３】
2007155836.tif 000019
【図１７】
2007155836.tif 000020
【図２１】
2007155836.tif 000021
【図２２】
2007155836.tif 000022
【図２３】
2007155836.tif 000023
【図２５】
2007155836.tif 000024
【図２６】
2007155836.tif 000025
【図２９】
2007155836.tif 000026
【図４】
2007155836.tif 000027
【図８】
2007155836.tif 000028
【図１１】
2007155836.tif 000029
【図１２】
2007155836.tif 000030
【図１４】
2007155836.tif 000031
【図１５】
2007155836.tif 000032
【図１６】
2007155836.tif 000033
【図１８】
2007155836.tif 000034
【図１９】
2007155836.tif 000035
【図２０】
2007155836.tif 000036
【図２４】
2007155836.tif 000037
【図２７】
2007155836.tif 000038
【図２８】
2007155836.tif 000039